(57)【要約】      （修正有）【課題】鮮度を保ちながら被保冷物を保冷することができる蓄冷体及び蓄冷体を備えた収容体を提供する。【解決手段】蓄冷体１は、蓄冷剤と、蓄冷剤と一体的に保持された低熱伝導率部材２０と、を有し、低熱伝導率部材側が被保冷物との接触面とされる構成とした。蓄冷体が低熱伝導率部材を介して被保冷物を保冷することが可能になる。これにより、蓄冷剤の被保冷物に対する冷熱効率を弱めることができ、被保冷物が凍結されることを防止できる。また、蓄冷剤と低熱伝導率部材とが一体に保持されるため、蓄冷剤と低熱伝導率部材とがずれることが防止できる。これにより、蓄冷剤が被保冷物に直接的に接触されることが防止され、被保冷物の凍結を防止した状態で安定的に保冷される。よって、被保冷物の鮮度を保ちながら被保冷物を保冷することができる。【選択図】図３
0003207228.tif 000002
【実用新案登録請求の範囲】
【請求項１】
蓄冷剤と、
前記蓄冷剤と一体的に保持された低熱伝導率部材と、を有し、
前記低熱伝導率部材側が被保冷物との接触面とされることを特徴とする蓄冷体。
【請求項２】
前記蓄冷剤を封入する容器を有し、
前記容器の一方の面に凹状の収納部が形成され、前記収納部内に前記低熱伝導率部材が保持されることを特徴とする請求項１に記載の蓄冷体。
【請求項３】
前記収納部の底面には前記容器の前記一方の面とは反対側の他方の面に向かって複数の窪みが形成されていることを特徴とする請求項２に記載の蓄冷体。
【請求項４】
前記窪みとして、深い窪みと、前記深い窪みよりも深さが浅い窪みとを有し、前記浅い窪みは前記一方の面からと共に、前記他方の面から前記一方の面に向かって形成されて、前記容器の厚みの途中で、互いの底面が重なることを特徴とする請求項３に記載の蓄冷体。
【請求項５】
前記深い窪みの内容積と、前記浅い窪みの内容積とが略等しいことを特徴とする請求項４に記載の蓄冷体。
【請求項６】
前記他方の面には、表示領域が備えられ、前記表示領域以外の領域に前記浅い窪みが形成されていることを特徴とする請求項４又は請求項５に記載の蓄冷体。
【請求項７】
前記深い窪みは、前記一方の面の中央領域に形成され、前記浅い窪みは、前記中央領域の両側に位置する側方領域に形成されており、前記他方の面の中央領域が前記表示領域とされることを特徴とする請求項６に記載の蓄冷体。
【請求項８】
前記他方の面には、前記表示領域以外の領域に、複数の線状の凹溝が形成されていることを特徴とする請求項６又は請求項７に記載の蓄冷体。
【請求項９】
前記容器は、成型品であることを特徴とする請求項２から請求項８のいずれかに記載の蓄冷体。
【請求項１０】
前記低熱伝導率部材が断熱材であることを特徴とする請求項１から請求項９のいずれかに記載の蓄冷体。
【請求項１１】
前記低熱伝導率部材の表面は、保護シートで覆われていることを特徴とする請求項１から請求項１０のいずれかに記載の蓄冷体。
【請求項１２】
前記容器の一方の面に、前記低熱伝導率部材と前記保護シートとが重ねて設けられており、前記保護シートと前記容器とが一体に形成されていることを特徴とする請求項２から請求項１１のいずれかに記載の蓄冷体。
【請求項１３】
前記保護シートが射出成型品であることを特徴とする請求項１１又は請求項１２に記載の蓄冷体。
【請求項１４】
請求項１から請求項１３のいずれかに記載の前記蓄冷体と、前記被保冷物としての食品とを備え、前記食品が前記蓄冷体の前記低熱伝導率部材側に重ねられて収容されていることを特徴とする収容体。
【請求項１５】
前記蓄冷体の下方に前記食品が配置されていることを特徴とする請求項１４に記載の収容体。
【請求項１６】
前記食品が、真空パックされた肉であることを特徴とする請求項１４又は請求項１５に記載の収容体。
【考案の詳細な説明】
【技術分野】
【０００１】
本考案は、食品を保冷する蓄冷体及び蓄冷体を備えた収容体に関する。
【背景技術】
【０００２】
生鮮食品を輸送する際には、蓄冷剤を用いて食品を低温で保存しながら輸送し、積み下ろしの際の温度上昇により食品が傷んでしまうことを防止している。蓄冷剤としては、容器や袋に封入されて冷凍されて使用されるものが知られている（例えば、特許文献１参照）。蓄冷剤は、生鮮食品と共に梱包されて食品を冷却する。これにより、目的地まで低温を維持した状態で食品を届けることができる。
【先行技術文献】
【特許文献】
【０００３】
【特許文献１】特開２０１５−０４５４５２号公報
【考案の概要】
【考案が解決しようとする課題】
【０００４】
しかしながら、生鮮食品の腐敗を防止するために蓄冷剤を用いると生鮮食品が凍結してしまい、生鮮食品の組織が破壊され、品質が低下してしまう場合がある。
【０００５】
本考案は、かかる点に鑑みてなされたものであり、鮮度を保ちながら被保冷物を保冷することができる蓄冷体及び蓄冷体を備えた収容体を提供することを目的とする。
【課題を解決するための手段】
【０００６】
本考案の蓄冷体は、蓄冷剤と、前記蓄冷剤と一体的に保持された低熱伝導率部材と、を有し、前記低熱伝導率部材側が被保冷物との接触面とされることを特徴とする。
【０００７】
この構成により、蓄冷体が低熱伝導率部材を介して被保冷物を保冷することが可能になる。これにより、蓄冷剤の被保冷物に対する冷熱効率を弱めることができ、被保冷物が凍結されることを防止できる。また、蓄冷剤と低熱伝導率部材とが一体に保持されるため、蓄冷剤と低熱伝導率部材とがずれることが防止できる。これにより、蓄冷剤が被保冷物に直接的に接触されることが防止され、被保冷物の凍結を防止した状態で安定的に保冷される。よって、被保冷物の鮮度を保ちながら被保冷物を保冷することができる。
【０００８】
本考案の蓄冷体においては、前記蓄冷剤を封入する容器を有し、前記容器の一方の面に凹状の収納部が形成され、前記収納部内に前記低熱伝導率部材が保持される。この構成によれば、蓄冷剤と低熱伝導率部材とが安定的に保持される。
【０００９】
本考案の蓄冷体においては、前記収納部の底面には前記容器の前記一方の面とは反対側の他方の面に向かって複数の窪みが形成されている。この構成により、容器の形状を安定させることができ、蓄冷剤の凍結時及び蓄冷体の使用時に容器の変形を防ぐことができる。
【００１０】
本考案の蓄冷体においては、前記窪みとして、深い窪みと、前記深い窪みよりも深さが浅い窪みとを有し、前記浅い窪みは前記一方の面からと共に、前記他方の面から前記一方の面に向かって形成されて、前記容器の厚みの途中で、互いの底面が重なる。このように、深さの異なる窪みを配置することで、容器の形状の安定性と容器の強度とをバランスよく保つことができる。
【００１１】
本考案の蓄冷体においては、前記深い窪みの内容積と、前記浅い窪みの内容積とが略等しい。この構成により、深い窪みと浅い窪みにおける容器の形状安定の効果を均一にすることができる。
【００１２】
本考案の蓄冷体においては、前記他方の面には、表示領域が備えられ、前記表示領域以外の領域に前記浅い窪みが形成されている。この構成により、表示領域を形成できると共に、表示領域と、表示領域以外の領域との容器の形状安定の効果を均一にできる。
【００１３】
本考案の蓄冷体においては、前記深い窪みは、前記一方の面の中央領域に形成され、前記浅い窪みは、前記中央領域の両側に位置する側方領域に形成されており、前記他方の面の中央領域が前記表示領域とされる。この構成により、容器の中央領域と側方領域とで、容器の形状安定の効果を均一にして、表示領域を他方の面の中央領域に形成することができる。
【００１４】
本考案の蓄冷体においては、前記表示領域以外の領域に、複数の線状の凹溝が形成されている。この構成により、容器の表面強度を向上させ、容器の形状を安定させることができる。
【００１５】
本考案の蓄冷体においては、前記容器は、成型品である。この構成により、容器の耐久性及び安定性を向上させることができる。
【００１６】
本考案の蓄冷体においては、前記低熱伝導率部材が断熱材である。この構成により、蓄冷剤による被保冷物からの熱の吸収が妨げられるので、被保冷物が凍結することをより効果的に防止できる。
【００１７】
本考案の蓄冷体においては、前記低熱伝導率部材の表面は、保護シートで覆われている。この構成により、低熱伝導率部材が蓄冷体に安定的に保持される。
【００１８】
本考案の蓄冷体においては、前記容器の一方の面に、前記低熱伝導率部材と前記保護シートとが重ねて設けられており、前記保護シートと前記容器とが一体に形成されている。この構成により、低熱伝導率部材を安定して保持する蓄冷体を製造することができる。
【００１９】
本考案の蓄冷体においては、前記保護シートが射出成型品である。この構成により、容器と保護シートを成形品として形成できるため、容器と保護シートの形状を安定させ、蓄冷剤と低熱伝導率部材とをより安定的に保持することができる。
【００２０】
本考案の収容体には、上記蓄冷体と、前記被保冷物としての食品とを備え、前記食品が前記蓄冷体の前記低熱伝導率部材側に重ねられて収容されている。この構成により、食品は低熱伝導率部材を介して蓄冷剤に保冷され、食品が蓄冷剤により直接的に保冷されないため、食品が凍結されることを防止できる。また、蓄冷剤と低熱伝導率部材とが一体に保持されるため、蓄冷剤と低熱伝導率部材とがずれることが防がれ、食品が蓄冷剤に直接的に接触することが防止される。このため、食品は凍結されるのを防止した状態で安定的に保冷される。よって、鮮度を保ちながら食品を保冷することができる。
【００２１】
本考案の収容体においては、前記蓄冷体の下方に前記食品が配置されている。この構成により、下降する蓄冷体の冷気を用いて蓄冷体の下方の食品を効率よく保冷することができる。
【００２２】
本考案の収容体においては、前記食品が、真空パックされた肉である。この構成により、肉の凍結を防止して、鮮度を保ちながら肉を保冷することができる。
【考案の効果】
【００２３】
本考案によれば、鮮度を保ちながら被保冷物を保冷することができる。
【図面の簡単な説明】
【００２４】
【図１】本実施の形態に係る蓄冷体を一方の面から見た上面図である。
【図２】本実施の形態に係る蓄冷体を他方の面から見た上面図である。
【図３】本実施の形態に係る蓄冷体の断面図である。
【図４】本実施の形態に係る蓄冷体の収納部に低熱伝導率部材が保持される様子を示す説明図である。
【図５】本実施の形態に係る収容体の断面図である。
【考案を実施するための形態】
【００２５】
以下、添付図面を参照して、本実施の形態に係る蓄冷体について説明する。図１は、本実施の形態に係る蓄冷体を一方の面から見た上面図である。図２は、本実施の形態に係る蓄冷体を他方の面から見た上面図である。図３は、本実施の形態に係る蓄冷体の断面図である。図３Ａは、本実施の形態に係る蓄冷体をＡ−Ａ線に沿って切断したときの断面図である。図３Ｂは、本実施の形態に係る蓄冷体をＢ−Ｂ線に沿って切断したときの断面図である。図３Ｃは、本実施の形態に係る蓄冷体をＣ−Ｃ線に沿って切断したときの断面図である。図４は、本実施の形態に係る容器の収納部に低熱伝導率部材が保持される様子を示す説明図である。
【００２６】
図１に示すように、蓄冷体１の容器１０は中空となっており、例えば板状に形成されている。容器１０は相対向する一対の主面を備え、以下では、主面の一方の面をＨで示し、主面の他方の面をＴで示す。「主面」とは容器１０を構成する各面のうち面積の広い面を指す。図１に示すように、蓄冷体１の容器１０の一方の面Ｈには、後述する低熱伝導率部材２０（図１では説明の便宜上不図示、図３及び図４参照）が収納可能な凹状の収納部１１が形成されている。収納部１１の面積は、低熱伝導率部材２０の面積と同じ又はそれ以上となっている。収納部１１の深さは、低熱伝導率部材２０の厚みと同じ又はそれ以上となっている。収納部１１の底面１１ａには、容器１０の一方の面Ｈとは反対側の他方の面Ｔに向かって、深さが異なる円錐台状の窪み１２、１３が複数形成されている。窪み１２は、窪み１３よりも径が小さく深さが浅くなっている。以下、窪み１２を小径窪み１２と称し、窪み１３を大径窪み１３と称する。図１に示すように、一方の面Ｈには、大径窪み１３が、中央領域に形成され、小径窪み１２は中央領域の両側に位置する側方領域に形成されている。
【００２７】
容器１０の内部には、封入口１４より蓄冷剤４０（図５参照）が封入され、蓄冷剤４０は冷凍された状態で被保冷物を保冷する。容器１０はポリエチレン、ポリプロピレン等の樹脂からなる。容器１０は、例えば、溶かしたプラスチック原料を金型で挟み込み、中に空気を吹き込んで膨らませて成形するブロー成形により成形することができるが、特に製造方法を限定するものではない。各窪み１２、１３に対応する金型の部分には円錐台形状の部分を設け、収納部１１に対応する金型の部分には凸部を設けておく。容器１０がブロー成形で作られることにより、容器１０の耐久性及び安定性を向上させることができる。
【００２８】
図３Ａに示すように、大径窪み１３は、一方の面Ｈから他方の面Ｔに向かって形成されており、大径窪み１３の底面１３ａは他方の面Ｔと重なっている。また、図３Ｂに示すように、小径窪み１２は一方の面Ｈから他方の面Ｔに向かって形成される共に、他方の面Ｔからも一方の面Ｈに向かって形成されており、各小径窪み１２の底面１２ａ、１２ｂが互いに容器１０の厚み方向の略中心位置で接している。一方の面Ｈから形成されている小径窪み１２の内容積と他方の面Ｔから形成されている小径窪み１２の内容積を合わせた内容積と、大径窪み１３の内容積とは略等しくなっている。ここで、内容積が略等しいとは、小径窪み１２の内容積と大径窪み１３の内容積との差が概ね２０％以下であることをいう。
【００２９】
容器１０の相対向する主面に、窪み１２、１３を設けることにより、容器１０をブロー成形する際に容器１０の肉厚の偏りを防止することができる。また、容器１０が受ける圧力や衝撃による容器１０の変形が窪み１２、１３の部分で吸収されるため、蓄冷剤４０の凍結時における蓄冷剤４０の体積膨張及び蓄冷体１の使用時における蓄冷体１の落下等の衝撃により、容器１０が変形することを防止できる。小径窪み１２の内容積と大径窪み１３の内容積を略等しくすることにより、各窪み１２、１３における深さの差により生じる容器１０が衝撃を受け止める効果の差を小さくすることができるため、各窪み１２、１３における容器１０の形状安定の効果を均一にすることができる。
【００３０】
図４に示すように、収納部１１には平板状の低熱伝導率部材２０が収納される。収納部１１に収納された低熱伝導率部材２０の表面は保護シート３０（図３参照）で覆われ、保護シート３０の外縁部は容器１０に例えば接着される。これにより、保護シート３０により低熱伝導率部材２０と蓄冷剤４０とが一体的に保持され、低熱伝導率部材２０が蓄冷体１から外れてしまうことが防止される。なお、図３Ｃに示すように低熱伝導率部材２０は収納部１１の底面１１ａに接するように収納されているため、図３Ａ及び図３Ｂに示すように窪み１２、１３には低熱伝導率部材２０が入り込んでおらず、窪み１２、１３の空間が残された状態とされている。このため、窪み１２、１３による、容器１０の形状安定の効果を適切に得ることができる。
【００３１】
低熱伝導率部材２０としては、熱伝導率が低い材料からなるものであればよく、容器１０に比べて熱伝導率は低いことが好ましい。低熱伝導率部材２０には、例えば断熱材を用いることができる。断熱材により、蓄冷剤４０による被保冷物から熱の吸収が妨げられるので、被保冷物が凍結することを防止できる。低熱伝導率部材２０は、被保冷物に要求される保冷状態に応じて熱伝導率や材料を選択することができる。
【００３２】
保護シート３０としては、ポリエチレンやポリプロピレン等の材料からなるシートを用いることができる。また、保護シート３０は、容器１０と同材料を用いて射出成型により成形することができる。射出成型された保護シート３０は、収納部１１に収納された低熱伝導率部材２０を覆うように、外縁部が例えば溶着加工により容器１０に取り付けられる。これにより、容器１０と保護シート３０を成形品として形成できるため、容器１０と保護シート３０の形状を安定させ、低熱伝導率部材２０をより安定的に収納部１１内に保持させることができる。また、金型内に低熱伝導率部材２０を配置した状態で、容器１１と保護シート３０とを一体に成形することもできる。これにより、低熱伝導率部材２０の収納、その後の保護シート３０の設置といった作業が必要でなく、低熱伝導率部材２０を保持した蓄冷体１を効率よく製造することができる。また、容器１０及び保護シート３０は、低熱伝導率部材２０を組み込んだ状態のまま成形されるため、低熱伝導率部材２０をより安定的に保持させることができる。
【００３３】
本実施の形態に係る蓄冷体１は、低熱伝導率部材２０側を被保冷物との接触面として食品等の被保冷物を保冷する。これにより、蓄冷体１の蓄冷剤４０が容器１０を介して被保冷物に直接に接触されることが防止され、被保冷物が凍結することを防止できる。すなわち、本実施の形態では、蓄冷体１の他方の面Ｔを被保冷物との接触面としない。本実施の形態では、一方の面Ｈに低熱伝導率部材２０を配置し、低熱伝導率部材２０側を被保冷物との接触面することで、蓄冷剤４０の被保冷物に対する冷熱効率を弱めることができ、これにより、被保冷物の凍結を防止できる。また、蓄冷剤４０が封入されている容器１０の収納部１１に低熱伝導率部材２０を収納することで、蓄冷剤４０と低熱伝導率部材２０とを一体に保持することができる。このため、蓄冷剤４０と低熱伝導率部材２０とがずれて、蓄冷剤４０が被保冷物に直接接触することが防止され、被保冷物の凍結を防止した状態で安定的に保冷される。
【００３４】
図２に示すように、蓄冷体１の容器１０の他方の面Ｔには、中央領域に表示領域Ｄが備えられている。側方領域には一方の面Ｈに向かって小径窪み１２が形成されている。小径窪み１２は上記のように、一方の面Ｈから他方の面Ｔに向かっても形成されており、底面１２ｂ、１２ａ同士が容器１０の厚み方向の中心位置で接している。側方領域には、小径窪み１２と共に複数の凹溝１５が形成されている。凹溝１５の形成により、容器１０の表面強度を向上させ、容器１０の形状を安定させることができる。
【００３５】
上記の通り、大径窪み１３は一方の面Ｈの中央領域に形成され、小径窪み１２は一方の面Ｈと他方の面Ｔの側方領域に両面から形成されている。表示領域Ｄは、一方の面Ｈに形成された大径窪み１３に対向する他方の面の中央領域に形成されている。大径窪み１３は一方の面Ｈにのみ形成されるため、対向する他方の面Ｔの中央領域を表示領域Ｄとすることができる。表示領域Ｄには、ロゴや日付等を形成することが可能になっている。本実施の形態においては、表示領域Ｄに対向する一方の面Ｈの中央領域に大径窪み１３が形成され、両面Ｈ、Ｔの側方領域に小径窪み１２が形成され、小径窪み１２と大径窪み１３の内容積は略等しくなっている。これにより表示領域Ｄを設けても、中央領域及び側方領域の形状の安定性を均一に保つことができる。
【００３６】
次に、蓄冷体１を用いた収容体について説明する。図５は、本実施の形態に係る収容体の断面図である。
【００３７】
図５に示すように、収容体５０は、蓄冷体１と、蓄冷体１の下方に配置された被保冷物としての食品Ｍとを備えて構成されている。蓄冷体１には蓄冷剤４０が封入されている。食品Ｍは蓄冷体１の下方に配置され、蓄冷体１の低熱伝導率部材２０側（一方の面Ｈ側）に重ねられてケース５１内に収容される。食品Ｍは蓄冷体１により保冷されるが、本実施の形態では、食品Ｍが蓄冷剤４０により直接的に保冷されず、熱伝導率部材２０を介して保冷されるため、蓄冷剤４０の被保冷物に対する冷熱効率が弱められ、食品Ｍが凍結されることを防止できる。また、蓄冷剤４０と低熱伝導率部材２０とが一体に保持されるため、蓄冷剤４０と低熱伝導率部材２０とが収容体５０内で位置ずれを起こすことが防がれ、食品Ｍが蓄冷剤４０に直接的に接触することが防止される。このため、食品Ｍが凍結されるのを防止した状態で安定的に保冷される。また、ケース５１内で蓄冷体１の下方に食品Ｍが配置されることで、下降する蓄冷体１からの冷気を食品Ｍに当てることができるため、食品Ｍを効率よく保冷することができる。よって、真空パックされた肉等の生鮮食品を、鮮度を保ちながら目的地まで輸送することができる。また、収容体５０内では、蓄冷体１の低熱伝導率部材２０側（一方の面Ｈ側）を下方に向けており、蓄冷体１の表示領域Ｄ（他方の面Ｔ側）が上向きの状態として置かれているため、ケース５１の蓋を外すと、表示領域Ｄに記載の表示を直接見ることができる。
【００３８】
以上のように、本実施の形態に係る蓄冷体１は、蓄冷剤４０が低熱伝導率部材２０を介して被保冷物Ｍを保冷することが可能になる。これにより、蓄冷剤４０が被保冷物Ｍに直接的に接触されることを防止でき、蓄冷剤４０の被保冷物に対する冷熱効率を弱めることができるため、被保冷物Ｍが凍結されることを防止できる。また、蓄冷剤４０と低熱伝導率部材２０とが一体に保持されるため、蓄冷剤４０と低熱伝導率部材２０とがずれることが防止できる。これにより、蓄冷剤４０が被保冷物Ｍに直接的に接触されることが防止され、被保冷物Ｍの凍結を防止した状態で安定的に保冷される。よって、被保冷物Ｍの鮮度を保ちながら被保冷物Ｍを保冷することができる。
【００３９】
上記実施の形態においては、蓄冷体１を板状に形成したが、蓄冷体１は蓄冷剤４０と低熱伝導率部材２０とを一体的に保持できれば、どのような形状であってもよい。
【００４０】
上記実施の形態においては、低熱伝導率部材２０を平板状に形成したが、低熱伝導率部材２０は蓄冷体１に一体に保持されれば、どのような形状であってもよい。
【００４１】
上記実施の形態においては、保護シート３０は外縁部が容器１０に接着される又は容器１０と保護シート３０を一体的に成形する構成としたが、保護シート３０は容器１０に対して開閉可能な蓋として形成されていてもよい。この場合、保護シートとしての蓋が開閉されることにより低熱伝導率部材２０を収納部１１に着脱可能に収納することができる。
【００４２】
また、本実施の形態においては、保護シート３０が形成されず、低熱伝導率部材２０が、容器１０の収納部１１に接着剤等で固定されていてもよい。
【００４３】
また、食品Ｍとしては、例えば真空パックされた肉を例示することができる。例えば、真空パックされた肉は、トラック等で輸送されるが、その間中、肉の凍結を防止して、鮮度を保ちながら肉を保冷することができる。
【００４４】
また、本考案の各実施の形態を説明したが、本考案の他の実施の形態として、上記各実施の形態を全体的又は部分的に組み合わせたものでもよい。
【００４５】
また、本考案の実施の形態は上記の各実施の形態に限定されるものではなく、本考案の技術的思想の趣旨を逸脱しない範囲において様々に変更、置換、変形されてもよい。さらには、技術の進歩又は派生する別技術によって、本考案の技術的思想を別の仕方で実現することができれば、その方法を用いて実施されてもよい。したがって、実用新案登録請求の範囲は、本考案の技術的思想の範囲内に含まれ得る全ての実施態様をカバーしている。
【産業上の利用可能性】
【００４６】
以上説明したように、本考案は、例えば、生鮮食品の輸送の間中、生鮮食品を凍結させること無く鮮度を保つ保冷方法に適している。
【符号の説明】
【００４７】
１  蓄冷体
１０  容器
１１  収納部
１２、１３  窪み
２０  低熱伝導率部材
４０  蓄冷剤
Ｍ  被保冷物（真空パックされた肉）
【図１】
0003207228.tif 000003
【図２】
0003207228.tif 000004
【図３】
0003207228.tif 000005
【図４】
0003207228.tif 000006
【図５】
0003207228.tif 000007
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
蓄冷剤と、
前記蓄冷剤と一体的に保持された低熱伝導率部材と、を有し、
前記低熱伝導率部材側が被保冷物との接触面とされることを特徴とする蓄冷体。
【請求項２】
前記蓄冷剤を封入する容器を有し、
前記容器の一方の面に凹状の収納部が形成され、前記収納部内に前記低熱伝導率部材が保持されることを特徴とする請求項１に記載の蓄冷体。
【請求項３】
前記収納部の底面には前記容器の前記一方の面とは反対側の他方の面に向かって複数の窪みが形成されていることを特徴とする請求項２に記載の蓄冷体。
【請求項４】
前記窪みとして、深い窪みと、前記深い窪みよりも深さが浅い窪みとを有し、前記浅い窪みは前記一方の面からと共に、前記他方の面から前記一方の面に向かって形成されて、前記容器の厚みの途中で、互いの底面が重なることを特徴とする請求項３に記載の蓄冷体。
【請求項５】
前記深い窪みの内容積と、前記浅い窪みの内容積とが略等しいことを特徴とする請求項４に記載の蓄冷体。
【請求項６】
前記他方の面には、表示領域が備えられ、前記表示領域以外の領域に前記浅い窪みが形成されていることを特徴とする請求項４又は請求項５に記載の蓄冷体。
【請求項７】
前記深い窪みは、前記一方の面の中央領域に形成され、前記浅い窪みは、前記中央領域の両側に位置する側方領域に形成されており、前記他方の面の中央領域が前記表示領域とされることを特徴とする請求項６に記載の蓄冷体。
【請求項８】
前記他方の面には、前記表示領域以外の領域に、複数の線状の凹溝が形成されていることを特徴とする請求項６又は請求項７に記載の蓄冷体。
【請求項９】
前記容器は、成型品であることを特徴とする請求項２から請求項８のいずれかに記載の蓄冷体。
【請求項１０】
前記低熱伝導率部材の表面は、保護シートで覆われていることを特徴とする請求項１から請求項９のいずれかに記載の蓄冷体。
【請求項１１】
前記容器の一方の面に、前記低熱伝導率部材と保護シートとが重ねて設けられており、前記保護シートと前記容器とが一体に形成されていることを特徴とする請求項２から請求項９のいずれかに記載の蓄冷体。
【請求項１２】
前記保護シートが射出成型品であることを特徴とする請求項１０又は請求項１１に記載の蓄冷体。
【請求項１３】
前記低熱伝導率部材が断熱材であることを特徴とする請求項１から請求項１２のいずれかに記載の蓄冷体。
【請求項１４】
請求項１から請求項１３のいずれかに記載の前記蓄冷体と、前記被保冷物としての食品とを備え、前記食品が前記蓄冷体の前記低熱伝導率部材側に重ねられて収容されていることを特徴とする収容体。
【請求項１５】
前記蓄冷体の下方に前記食品が配置されていることを特徴とする請求項１４に記載の収容体。
【請求項１６】
前記食品が、真空パックされた肉であることを特徴とする請求項１４又は請求項１５に記載の収容体。
【手続補正２】
【補正対象書類名】明細書
【補正対象項目名】００１８
【補正方法】変更
【補正の内容】
【００１８】
本考案の蓄冷体においては、前記容器の一方の面に、前記低熱伝導率部材と保護シートとが重ねて設けられており、前記保護シートと前記容器とが一体に形成されている。この構成により、低熱伝導率部材を安定して保持する蓄冷体を製造することができる。